(57)【要約】【課題】基板に対する不正行為を防止することができる基板ケースを備えた遊技機を提供する。【解決手段】遊技機１は、表面６３Ｄを有する制御基板（基板）６０と、制御基板６０を収容する基板ケース６５とを含む。基板ケース６５は、制御基板６０の表面６３Ｄに対向する底壁９９、および底壁９９に形成された操作用の孔部１００を有する第１ケース体９１と、孔部１００の周囲から制御基板６０に向けて突出した壁部１０１とを含む。壁部１０１は、制御基板６０の表面６３Ｄ側において操作手段８４とその他の電子部品Ｄとを仕切り、かつ、操作手段８４の少なくとも本体部の周囲を包囲している。【選択図】図１２Ａ
2018047377.tif 000002
【特許請求の範囲】
【請求項１】
表面および裏面を有する基板と、前記基板を収納する基板ケースとを含む遊技機であって、
前記基板の前記表面には、操作手段およびその他の電子部品が実装され、
前記操作手段は、本体部と、前記本体部の先端面から部分的に、前記基板側と反対側に突出する突出部とを有し、
前記基板ケースは、前記基板の前記表面に対向する対向壁を有するケース体と、前記対向壁から前記基板の前記表面に向けて突出した壁部と、を有し、
前記対向壁には、前記操作手段に対応する孔部が形成され、
前記壁部は、前記基板の前記表面側において前記操作手段と前記その他の電子部品とを仕切り、かつ、前記操作手段の少なくとも本体部の周囲を包囲することを特徴とする、遊技機。
【請求項２】
表面および裏面を有する基板と、前記基板を収納する基板ケースとを含む遊技機であって、
前記基板の前記表面には、操作手段およびその他の電子部品が実装され、
前記基板ケースは、前記基板の前記表面に対向する対向壁を有するケース体と、前記対向壁から前記基板の前記表面に向けて突出した壁部と、を有し、
前記対向壁には、前記操作手段に対応する孔部が形成され、
前記壁部は、前記基板の前記表面側において前記操作手段と前記その他の電子部品とを仕切り、かつ、前記孔部に対応する前記操作手段の少なくとも一部を収容しかつ他の電子部品を収容しない空間を前記対向壁とともに区画することを特徴とする、遊技機。
【請求項３】
前記孔部の径方向の大きさが、前記本体部における前記基板の前記表面に沿う方向の長さよりも小さく設けられており、
前記壁部は、前記壁部の先端と前記基板との間の距離が前記壁部の先端と前記対向壁との間の距離よりも短くなるように設けられていることを特徴とする、請求項１または２に記載の遊技機。
【発明の詳細な説明】
【技術分野】
【０００１】
この発明は、基板を収容する基板ケースを備えた遊技機に関する。遊技機としては、パチンコ機、パチスロ機等を例示することができる。
【背景技術】
【０００２】
下記特許文献１は、電源基板を収容する基板ケースを備える遊技機を開示している。電源基板には、電源スイッチおよびリセットスイッチ等の操作手段が設けられている。基板ケースは、表裏一対のケース体を含む。表ケース体には、電源スイッチおよびリセットスイッチの位置に合わせて開口部が形成されている。基板ケース内に電源基板が収容された状態で、電源スイッチおよびリセットスイッチの一部は、開口部を通じて基板ケースの表側に露出する。
【先行技術文献】
【特許文献】
【０００３】
【特許文献１】特開２０１２−０００５１３号公報
【発明の概要】
【発明が解決しようとする課題】
【０００４】
特許文献１の基板ケースでは、表ケース体の開口部から異物を進入させることによって、電源基板等の基板に不正行為が行われる虞がある。
そこで、この発明は、基板に対する不正行為を防止することができる基板ケースを備えた遊技機を提供することを目的とする。
【課題を解決するための手段】
【０００５】
上記目的を達成するための請求項１に記載の発明は、表面および裏面を有する基板と、前記基板を収納する基板ケースとを含む遊技機であって、前記基板の前記表面には、操作手段およびその他の電子部品が実装され、前記操作手段は、本体部と、前記本体部の先端面から部分的に、前記基板側と反対側に突出する突出部とを有し、前記基板ケースは、前記基板の前記表面に対向する対向壁を有するケース体と、前記対向壁から前記基板の前記表面に向けて突出した壁部と、を有し、前記対向壁には、前記操作手段に対応する孔部が形成され、前記壁部は、前記基板の前記表面側において前記操作手段と前記その他の電子部品とを仕切り、かつ、前記操作手段の少なくとも本体部の周囲を包囲することを特徴とする、遊技機を提供する。
また、上記目的を達成するための請求項２に記載の発明は、表面および裏面を有する基板と、前記基板を収納する基板ケースとを含む遊技機であって、前記基板の前記表面には、操作手段およびその他の電子部品が実装され、前記基板ケースは、前記基板の前記表面に対向する対向壁を有するケース体と、前記対向壁から前記基板の前記表面に向けて突出した壁部と、を有し、前記対向壁には、前記操作手段に対応する孔部が形成され、前記壁部は、前記基板の前記表面側において前記操作手段と前記その他の電子部品とを仕切り、かつ、前記孔部に対応する前記操作手段の少なくとも一部を収容しかつ他の電子部品を収容しない空間を前記対向壁とともに区画することを特徴とする、遊技機を提供する。
請求項３に記載の発明は、前記孔部の径方向の大きさが、前記本体部における前記基板の前記表面に沿う方向の長さよりも小さく設けられており、前記壁部は、前記壁部の先端と前記基板との間の距離が前記壁部の先端と前記対向壁との間の距離よりも短くなるように設けられていることを特徴とする、請求項１または２に記載の遊技機を提供する。
【発明の効果】
【０００６】
基板に対する不正行為を防止することができる。
【図面の簡単な説明】
【０００７】
【図１Ａ】本発明の一実施形態に係る遊技機の斜視図である。
【図１Ｂ】遊技盤の正面図である。
【図２】基板ユニットが取り付けられた液晶表示装置を後側かつ下側から見た図である。
【図３】基板ユニットの分解斜視図である。
【図４Ａ】第１基板および第２基板の斜視図である。
【図４Ｂ】図４Ａとは異なる方向から見た第１基板および第２基板の斜視図である。
【図５Ａ】第３基板および第４基板の斜視図である。
【図５Ｂ】図５Ａとは異なる方向から見た第３基板および第４基板の斜視図である。
【図６Ａ】基板ケースの第１ケース体の斜視図である。
【図６Ｂ】図６Ａの一部を拡大した図である。
【図７】第１基板および第２基板を第１ケース体に取り付けた状態を示した図である。
【図８】図７に示す状態の第１ケース体に第３基板および第４基板を取り付けた状態を示した図である。
【図９】基板ケースの第２ケース体の斜視図である。
【図１０】基板ユニットの斜視図である。
【図１１】図１０におけるＸＩ−ＸＩ線に沿う断面図である。
【図１２Ａ】図２におけるＸＩＩ−ＸＩＩ線に沿う断面図である。
【図１２Ｂ】図１２Ａにおいて第３基板にスイッチが実装されていない場合の図である。
【図１３】本発明の変形例を示した図である。
【発明を実施するための形態】
【０００８】
以下では、この発明の実施の形態を、添付図面を参照して詳細に説明する。
図１Ａは、本発明の一実施形態に係る遊技機１の斜視図である。本実施形態では、遊技機１は、パチンコ機である。
遊技機１は、上下に長手の略直方体である。遊技機１は、遊技店内に配列された遊技島への取り付け（設置）のための略四角枠状の外枠４と、この外枠４に対し片開き可能に取り付けられた前枠５とを含む。外枠４の左右一方、例えば左側のヒンジ６によって、前枠５は、ヒンジ６の回動軸まわりに回動可能に保持されている。遊技機１は、基板６０（図３参照）を含む基板ユニット３（図２参照）を備えている。
【０００９】
前枠５の上部分には、遊技盤７が収容保持されている。前枠５の下部分には、図示しない発射装置（図示しない）が収容保持されている。前枠５の手前側には、前扉８が開閉可能に設けられている。前枠５の手前側には、前扉８の下方に、下部開閉板９が開閉可能に設けられている。前扉８には、遊技盤７に対向する位置に略円形の開口部１０が形成されている。この開口部１０には、ガラス板等の透明板１１が嵌められていて、前扉８を閉じた状態で、その透明板１１を介して、透明板１１の奥側の遊技盤７を視認することができるようになっている。前扉８の上部には、左右一対のスピーカ１２が配置されている。また、前扉８の下部には、左右一対のランプユニット１３が配置されている。
【００１０】
下部開閉板９には、遊技に使用する遊技玉（パチンコ玉）を貯留しておくための上皿１４と、上皿１４からオーバーフロー路（図示しない）を通して溢れた遊技玉を受け止める下皿１５とが上下に並んで設けられている。また、下皿１５の右側には、遊技玉を遊技盤７に打ち出す際に操作されるハンドル１６が配置されている。遊技者が、ハンドルを把持して回転操作することにより、発射装置から遊技盤７に向けて遊技玉を発射することができ、また、ハンドル１６の回転角度を調整することにより、遊技盤７の前面に向けて発射される遊技玉の勢いを調節することができる。
【００１１】
図１Ｂは、遊技盤７の正面図である。遊技盤７の前面（盤面）には、中央部に略円形の遊技領域Ｓが設定されている。遊技領域Ｓの周縁には、発射装置から発射された遊技玉を、遊技盤７の上部（左側上部）に導くための略円弧状のガイドレール１７と、このガイドレール１７に対向して延びる内レール１８とが配置されている。遊技領域Ｓには、多数本の障害釘１９が植設されている。遊技盤７の中央部には、液晶表示装置２０を含むセンターユニット２１が取り付けられている。
【００１２】
遊技領域Ｓの下部には、第１特別図柄始動口２２、第２特別図柄始動口２３および電動チューリップ役物２４が配置されている。第１特別図柄始動口２２および第２特別図柄始動口２３が上下に並置されている。第２特別図柄始動口２３の下方には、例えば、左右に長い平面視長方形状をなす第１可変入賞口２７が配置されている。遊技領域Ｓの右下部（第１特別図柄始動口２２の右方）には、左右に長い平面視長方形状をなす第２可変入賞口３０が配置されている。遊技盤７の右下部（第２可変入賞口３０の右上方）には、遊技盤７の前面に沿って流下する遊技玉が通過可能な普通図柄ゲート３３が配置されている。遊技領域Ｓの左下部には、第１普通入賞口３６および第２普通入賞口３７が配置されている。
【００１３】
始動口２２，２３および入賞口２７，３０，３６，３７に遊技玉が入賞すると、それぞれ予め定める個数の賞玉が、賞玉払出装置から払い出される。
遊技者のハンドル操作により、発射装置（図示しない）から発射された遊技玉は、遊技領域Ｓの障害釘１９の間を流下する。遊技領域Ｓを流下する遊技玉のうち、第１特別図柄始動口２２、第２特別図柄始動口２３、第１可変入賞口２７、第２可変入賞口３０、第１普通入賞口３６および第２普通入賞口３７のいずれにも入玉しなかった遊技玉（アウト玉）は、遊技領域Ｓの下部に形成されたアウト口３９から機内に入り、玉回収部（図示しない）に回収される。
【００１４】
遊技盤７の前面におけるガイドレール１７の外側領域の右上隅部には、第１特別図柄表示手段４１、第２特別図柄表示手段４２および普通図柄表示手段４３が配置されている。
第１および第２特別図柄表示手段４１，４２は、それぞれ、第１および第２特別図柄始動口２２，２３に遊技玉が入玉することを条件に、第１および第２特別図柄を所定時間変動表示する。第１および第２特別図柄始動口２２，２３への入玉時に取得された大当たり判定乱数値が予め定められた大当たり判定値と一致する場合には所定の大当たり態様で、それ以外の場合にははずれ態様で停止する。普通図柄表示手段４３は、普通図柄ゲート３３に遊技玉が通過することを条件に普通図柄を所定時間変動表示して、普通図柄ゲート３３に対する遊技玉の通過時に取得された当り判定乱数値が予め定められた当り判定値と一致する場合には所定の当り態様で、一致しない場合には所定のはずれ態様で停止させるようになっている。
【００１５】
センターユニット２１は、液晶表示装置２０と、開口４６Ａを有し、正面視で液晶表示装置２０の外側を取り囲む枠部材４６と、枠部材４６の後方領域を覆う裏箱５０とを含む。裏箱５０は後方に突出する容器状をなしており、裏箱５０の後面の中央部には、正面視矩形の中央開口５０Ａが形成されている。枠部材４６の開口４６Ａと裏箱５０の後面との間には、液晶表示装置２０の収容空間が設定されている。
【００１６】
液晶表示装置２０は、正面視で、略矩形の液晶表示領域５２を有する液晶パネル２０Ａ（図２参照）を含む。液晶表示装置２０は、略矩形の液晶表示領域５２の略全域が中央開口５０Ａから前方に臨むように、裏箱５０に後方から取り付けられている。
遊技機１では、大当たり判定の結果は、特別図柄表示手段４１，４２（図１Ｂ参照）だけでなく、液晶表示領域５２にも表示される。すなわち、特別図柄表示手段４１，４２における第１または第２特別図柄の図柄変動動作中は、液晶表示領域５２において演出図柄の図柄変動動作が実行される。演出図柄の図柄変動動作の終了後、大当たり判定の結果が大当たりであるときは、液晶表示領域５２に大当たり用の演出図柄の組合せが表示され、一方、大当たり判定の結果がはずれであるときは、はずれ用の演出図柄の組合せが液晶表示領域５２に停止表示される。
【００１７】
遊技機１は、ＡＣ２４Ｖの交流電圧を受けて各種の直流電圧やシステムリセット信号などを出力する電源基板（図示しない）と、当該遊技機１の統括的な動作制御を司る主制御基板（図示しない）と、演出制御を司る演出制御基板と、遊技機１から遊技玉を払い出すための払出制御基板（図示しない）とを備えている。主制御基板には、電源基板、および玉払出装置を制御するための払出制御基板（図示しない）がそれぞれ接続されている。演出制御基板には、液晶表示装置２０の表示制御を行うための液晶表示制御基板（図示しない）がそれぞれ接続されている。電源基板（図示しない）は、演出制御基板および液晶表示制御基板にも、それぞれ接続されている。
【００１８】
図２は、基板ユニット３が取り付けられた液晶表示装置２０を後側かつ下側から見た図である。
液晶表示装置２０は、液晶パネル２０Ａと、液晶パネル２０Ａの上下左右の側方および後方を覆う液晶カバー５５（図２において二点鎖線で示す）とを含む。液晶カバー５５には、略直方体の複数の係止部５６が形成されている。複数の係止部５６は、後側へ向けて突出しており、遊技機１の幅方向に等間隔を隔てて配置されている。複数の係止部５６の上面には、下側へ向けて窪む窪みが形成されている。
【００１９】
基板ユニット３は、略直方体である。基板ユニット３は、複数の係止部５６によって、液晶カバー５５の後側の面に取り付けられている。基板ユニット３の液晶カバー５５への取付け状態で、基板ユニット３の長手方向である第１方向Ｘは、左右方向に延びている。基板ユニット３の幅方向である第２方向Ｙは、上下方向に延びている。第１方向Ｘおよび第２方向Ｙに直交する基板ユニット３の厚み方向Ｚは、前後方向に延びている。
【００２０】
第１方向Ｘの一方側であるＸ１方向は、遊技機１の右側に相当し、第１方向Ｘの他方側であるＸ２方向は、遊技機１の左側に相当する。第２方向Ｙの一方側であるＹ１方向は、遊技機１の上側に相当し、第２方向Ｙの他方側であるＹ２方向は、遊技機１の下側に相当する。厚み方向Ｚの一方側であるＺ１方向は、遊技機１の後側に相当し、厚み方向Ｚの他方側であるＺ２方向は、遊技機１の前側に相当する。
【００２１】
以下では、基板ユニット３の構成について詳細に説明する。
図３は、基板ユニット３の分解斜視図である。
基板ユニット３は、液晶表示装置２０の液晶パネル２０Ａ（図２等参照）を制御する基板６０と、基板６０を収容する基板ケース６５と、基板６０を基板ケース６５に固定するための第１ねじ７１、第２ねじ７２、第３ねじ７３、第４ねじ７４、第５ねじ７５および第６ねじ７６とを含む。なお、図３では、基板６０に実装されている部品の一部の図示を省略している。
【００２２】
基板６０は、第１基板６１、第２基板６２、第３基板６３および第４基板６４を含む。基板６０は、前述の演出制御基板および液晶制御基板として用いられる。しかしながら、基板６０が演出制御基板としてのみ用いられていてもよいし、液晶制御基板としてのみ用いられてもよい。
図４Ａは、第１基板６１および第２基板６２の斜視図である。図４Ｂは、図４Ａとは異なる方向から見た第１基板６１および第２基板６２の斜視図である。
【００２３】
図４Ａに示すように、第１基板６１は、第１方向Ｘに長手の略矩形状である。第１基板６１には、第１基板６１を厚み方向Ｚに貫通する第１挿通孔６１Ａおよび第１ねじ挿通孔６１Ｂが形成されている。具体的には、第１挿通孔６１Ａは、第１基板６１の四隅と、第１基板６１のＸ２方向側の端部における第２方向Ｙの略中央とに１つずつ形成されている。第１ねじ挿通孔６１Ｂは、第１基板６１のＹ２方向側の端部において、第１方向Ｘの略中央に形成されている。
【００２４】
第１基板６１のＺ１方向側の面には、複数の電子部品Ｄおよび第２基板接続用コネクタ７７が実装されている。
図４Ｂに示すように、第１基板６１のＺ２方向側の面には、複数の電子部品Ｄ、第３基板接続用コネクタ７８および第４基板接続用コネクタ７９が実装されている。第３基板接続用コネクタ７８と第４基板接続用コネクタ７９とは、第１方向Ｘに間隔を隔てて配置されている。
【００２５】
図４Ａに示すように、第２基板６２は、略正方形状であり、第１基板６１よりも小さい。第２基板６２は、第１基板６１において第２基板接続用コネクタ７７が配置されている部分に、Ｙ２方向側から隣接している。第２基板６２には、第２基板６２を厚み方向Ｚに貫通する第２挿通孔６２Ａおよび第２ねじ挿通孔６２Ｂが形成されている。第２挿通孔６２Ａは、第２基板６２の四隅のうちの対角線上に並ぶ２つの隅に１つずつ形成されている。第２ねじ挿通孔６２Ｂは、第２基板６２の四隅のうちの第２挿通孔６２Ａが設けられていない２つの隅に１つずつ形成されている。
【００２６】
第２基板６２のＺ１方向側の面には、複数の電子部品Ｄと、第１基板接続用コネクタ８０が実装されている。第１基板接続用コネクタ８０は、第１基板６１の第２基板接続用コネクタ７７と第２方向Ｙに対向するように配置されている。
第２基板６２の第１基板接続用コネクタ８０と第１基板６１の第２基板接続用コネクタ７７とが互いに嵌合されることによって、第１基板６１と第２基板６２とが電気的および機械的に接続される。なお、図４Ｂに示すように、第２基板６２のＺ２方向側の面には、複数の電子部品Ｄが実装されている。
【００２７】
図５Ａは、第３基板６３および第４基板６４の斜視図である。図５Ｂは、図５Ａとは異なる方向から見た第３基板６３および第４基板６４の斜視図である。
図５Ａに示すように、第３基板６３は、第２方向Ｙに長手を有する略矩形状である。第３基板６３には、第３基板６３を厚み方向Ｚに貫通する第３挿通孔６３Ａ、第３ねじ挿通孔６３Ｂおよび第４ねじ挿通孔６３Ｃが形成されている。具体的には、第３挿通孔６３Ａは、Ｙ１方向側かつＸ２方向側の端部に１つ形成されており、Ｘ１方向側の端部において第２方向Ｙにおける中央よりもＹ２側に２つ形成されている。第３ねじ挿通孔６３Ｂは、第３基板６３のＸ２方向側かつＹ２方向側の端部に１つ形成されている。第４ねじ挿通孔６３Ｃは、第２方向Ｙに互いに間隔を隔ててＸ２方向側の端部に２つ形成されている。
【００２８】
第３基板６３のＺ１方向側の表面６３Ｄには、複数の電子部品Ｄ、第１基板接続用コネクタ８１、複数の第４基板接続用コネクタ８２、複数の外部接続用コネクタ８３が実装されている。電子部品Ｄは、ＲＴＣ（Real Time Clock）用のスイッチ等の操作手段８４を含む。ＲＴＣは、電子部品Ｄの一部である。ＲＴＣ用のスイッチは、ＲＴＣによって計時された実時間をクリアするためのスイッチである。操作手段８４は、Ｙ２方向側かつＸ２方向側の端部に配置されている。
【００２９】
第３基板６３の表面６３Ｄにおいて操作手段８４が実装されている所定の部位をスイッチ領域（部位）Ａ１とする。第３基板６３の表面６３Ｄにおいてスイッチ領域Ａ１を除く領域をデバイス領域Ａ２とする。なお、第３基板６３に操作手段８４が実装されていない場合であっても、表面６３Ｄには、スイッチ領域Ａ１が設けられている。すなわち、スイッチ領域Ａ１は、表面６３Ｄにおいて操作手段８４を実装可能な領域のことをいう。
【００３０】
図５Ｂに示すように、第３基板６３のＺ２方向側の面６３Ｅには、複数の電子部品Ｄと、電池を収容するための電池ホルダ８５とが実装されている。電池ホルダ８５は、Ｙ１方向側の端部において第１方向Ｘの略中央に位置している。電池ホルダ８５には、Ｚ２方向側から電池８５Ａが収容されている。電池８５Ａは、遊技機１（図１Ａ参照）の電源が入っているか否かにかかわらず、ＲＴＣを駆動する。そのため、ＲＴＣは、遊技機１の電源の状態にかかわらず、計時し続けることができる。
【００３１】
図５Ａに示すように、第４基板６４は、略正方形状である。第４基板６４は、第３基板６３に対してＸ１方向側から隣接している。第４基板６４には、第４基板６４を厚み方向Ｚに貫通する第４挿通孔６４Ａ、第５ねじ挿通孔６４Ｂおよび第６ねじ挿通孔６４Ｃが形成されている。具体的には、第４挿通孔６４Ａは、Ｙ１方向側かつＸ１方向側の端部に１つ形成されており、Ｘ２方向側の端部において第２方向Ｙの中央よりもＹ２方向側に１つ形成されている。第５ねじ挿通孔６４Ｂは、Ｘ１方向側かつＹ２方向側の端部に１つ形成されている。第６ねじ挿通孔６４Ｃは、第１方向Ｘの略中央において第２方向Ｙに間隔を隔てて２つ形成されており、Ｙ２方向側かつＸ２方向側の端部に１つ形成されている。
【００３２】
第４基板６４のＺ１方向側の面には、複数の電子部品Ｄ、第１基板接続用コネクタ８６、複数の第３基板接続用コネクタ８７および複数の外部接続用コネクタ８８が実装されている。第１基板接続用コネクタ８６は、第４基板６４の第１方向Ｘにおける略中央であって第２方向Ｙにおける中央よりもＹ１方向側の部分に配置されている。複数の第３基板接続用コネクタ８７は、Ｘ２方向側の端部において第２方向Ｙに互いに隣接した状態で配置されている。複数の外部接続用コネクタ８８は、Ｘ２方向側かつＹ２方向側の端部に１つ配置されており、Ｘ１方向側の端部において第２方向Ｙに隣接してたとえば３つ配置されている。
【００３３】
第４基板６４の複数の第３基板接続用コネクタ８７は、第３基板６３の複数の第４基板接続用コネクタ８２に１対１対応で設けられており、各第３基板接続用コネクタ８７は対応する第４基板接続用コネクタ８２と第１方向Ｘに対向している。第３基板６３の複数の第４基板接続用コネクタ８２と第４基板６４の複数の第３基板接続用コネクタ８７とが互いに嵌合されることによって、第３基板６３と第４基板６４とが電気的および機械的に接続されている。なお、図５Ｂに示すように、第４基板６４のＺ２方向側の面には、複数の電子部品Ｄが実装されている。
【００３４】
基板ケース６５は、第１ケース体９１（ケース体）と第２ケース体９２とを含む（図３参照）。
図６Ａは、第１ケース体９１の斜視図である。図６Ｂは、図６Ａの一部を拡大した図である。具体的には、図６Ｂは、第１ケース体９１の第１方向Ｘにおける略中央よりもＸ２方向側の部分の拡大図である。
【００３５】
図６Ａに示すように、第１ケース体９１は、厚み方向Ｚに薄く第１方向Ｘに長手の略矩形状の底板９３と、底板９３の各縁部からＺ２方向へ立ち上がる複数（本実施形態では４つ）の側板９４とを含む。底板９３は、第１方向Ｘおよび第２方向Ｙに平坦な平坦部９５と、平坦部９５よりもＺ２方向側で第１方向Ｘおよび第２方向Ｙに平坦な面をなす第１段部９６および第２段部９７とを含む。第１段部９６は、底板９３のＹ２方向側の端部において第１方向Ｘに延びている。第２段部９７は、底板９３のＸ１方向側の端部において第２方向Ｙに延びている。
【００３６】
第１段部９６には、第１段部９６を厚み方向Ｚに貫通する第１コネクタ挿通孔９６Ａが第１方向Ｘに間隔を隔てて複数形成されている。第２段部９７には、第２段部９７を厚み方向Ｚに貫通する第２コネクタ挿通孔９７Ａが形成されている。
図６Ｂに示すように、第１ケース体９１は、第３基板６３の操作手段８４（図５Ａ参照）を収容するためのスイッチ収容部９８を含む。スイッチ収容部９８は、第１段部９６のＸ２方向側の端部付近に位置している。スイッチ収容部９８は、第１段部９６よりもＺ１方向側に位置する底壁（対向壁）９９と、厚み方向Ｚに底壁９９を貫通し、厚み方向Ｚから見て円形状の孔部１００と、孔部１００の周囲からＺ２方向側へ向けて突出した壁部１０１とを含む。
【００３７】
本実施形態では、壁部１０１は、厚み方向Ｚから見て略四角形状の角筒部材であり、第１方向Ｘに対向する一対の第１壁部１０１Ａと、第２方向Ｙから対向する一対の第２壁部１０１Ｂとを含む。Ｘ２方向側の第１壁部１０１Ａは、Ｘ２方向側の側板９４の一部であり、Ｙ２方向側の第２壁部１０１Ｂは、底板９３の平坦部９５と第１段部９６との境界９３Ａの一部である。
【００３８】
底壁９９および壁部１０１は、スイッチ収容部９８内の空間９８Ａを区画している。スイッチ収容部９８は、第１ケース体９１と一体に形成されている。そのため、スイッチ収容部９８を別部材として設ける場合と比較して、コストを低減できる。
図６Ａに示すように、第１ケース体９１は、Ｚ２方向に突出する円筒状（円筒ボス状）の第１ねじ止め部１１１、第２ねじ止め部１１２、第３ねじ止め部１１３、第４ねじ止め部１１４および第５ねじ止め部１１５を含む。第１ねじ止め部１１１、第２ねじ止め部１１２、第３ねじ止め部１１３および第４ねじ止め部１１４は、底板９３の平坦部９５に形成されている。また、第５ねじ止め部１１５は、平坦部９５と第１段部９６との境界９３Ａに形成されている。
【００３９】
図６Ｂに示すように、第１ねじ止め部１１１は、第１ねじ穴１２１を有している。第１ケース体９１の底板９３の平坦部９５において第１ねじ止め部１１１のＺ１方向側の端部（すなわち、根元部）の周辺の部分には、当該部分を厚み方向Ｚに貫通する複数の第１貫通孔１１１Ａが形成されている。複数の第１貫通孔１１１Ａは、第１ねじ止め部１１１のＺ１方向側の端部を取り囲むように、第１ねじ止め部１１１の周方向に間隔を隔てて設けられている（図３も参照）。隣接する第１貫通孔１１１Ａ同士の間には、第１ねじ止め部１１１と平坦部９５とを連結する薄肉の第１薄肉部１１１Ｂが形成されている。
【００４０】
複数の第２ねじ止め部１１２のそれぞれは、第２ねじ穴１２２を有している。第１ケース体９１の底板９３の平坦部９５において第２ねじ止め部１１２のＺ１方向側の端部（すなわち、根元部）の周辺の部分には、当該部分を厚み方向Ｚに貫通する複数の第２貫通孔１１２Ａが形成されている。複数の第２貫通孔１１２Ａは、第２ねじ止め部１１２のＺ１方向側の端部を取り囲むように、第２ねじ止め部１１２の周方向に間隔を隔てて設けられている（図３も参照）。隣接する第２貫通孔１１２Ａ同士の間には、第２ねじ止め部１１２と平坦部９５とを連結する薄肉の第２薄肉部１１２Ｂが形成されている。
【００４１】
図６Ａに示すように、第１ケース体９１は、平坦部９５からＺ２方向に突出する第１支持部１３１、第２支持部１３２、第３支持部１３３および第４支持部１３４を含む。複数の第１支持部１３１、第２支持部１３２、第３支持部１３３および第４支持部１３４は、各基板６１，６２，６３および６４の厚み方向Ｚにおける位置がそれぞれ所期位置に保たれるように、各基板６１，６２，６３および６４のＺ１側の面の周縁部に当接して、当該基板６１，６２，６３および６４をそれぞれ支持するためのものである。
【００４２】
第３ねじ止め部１１３および第４ねじ止め部１１４には、それぞれ、第１支持部１３１がねじ止め部１１３，１１４を取り囲むように設けられている。また、図６Ｂに示すように、第３支持部１３３のうちの１つにも、第１支持部１３１が、当該第３支持部１３３を取り囲むように設けられている。第１支持部１３１と第１ねじ止め部１１１とは、Ｚ２方向側の端部の位置が同じ、すなわち平坦部９５からの高さが同じである。第１支持部１３１によって取り囲まれた第３ねじ止め部１１３、第４ねじ止め部１１４および第３支持部１３３は、第１規制部１４１を構成している。
【００４３】
第２支持部１３２と第２ねじ止め部１１２とは、Ｚ２方向側の端部の位置が同じ、すなわち平坦部９５からの高さが同じである。第２支持部１３２のＺ２方向側の端部には、第２支持部１３２からＺ２方向へ突出する円柱状の第２規制部１４２が形成されている（図６Ｂ参照）。
第１段部９６のＸ２方向側かつＹ２方向側の端部には、第３ねじ穴１２３が形成されている。
【００４４】
第３支持部１３３、第３ねじ止め部１１３および第１段部９６は、Ｚ２方向側の端部の位置、すなわち平坦部９５からの高さが同じである。第３支持部１３３のＺ２方向側の端部には、Ｚ２方向へ突出する円柱状の第３規制部１４３が形成されている（図６Ｂ参照）。複数の第３ねじ止め部１１３のそれぞれは、第４ねじ穴１２４を有している（図６Ｂ参照）。
第２段部９７のＸ１方向側かつＹ２方向側の端部には、第５ねじ穴１２５が形成されている。
【００４５】
第４支持部１３４、第４ねじ止め部１１４、第５ねじ止め部１１５、第１段部９６および第２段部９７は、Ｚ２方向側の端部の位置、すなわち平坦部９５からの高さが同じである。複数の第４支持部１３４のＺ２方向側の端部には、Ｚ２方向へ突出する円柱状の第４規制部１４４がそれぞれ形成されている。図６Ｂに示すように、複数の第４ねじ止め部１１４のそれぞれは、第６ねじ穴１２６を有している。
【００４６】
第１ケース体９１は、平坦部９５からＺ２方向へ突出した第１コネクタ支持部１３６および第２コネクタ支持部１３７を含む。第１コネクタ支持部１３６は、第１基板６１の第３基板接続用コネクタ７８をＺ１方向側から押圧支持するためのものである。第２コネクタ支持部１３７は、第１基板６１の第４基板接続用コネクタ７９をＺ１方向側から押圧支持するためのものである。
【００４７】
第１ケース体９１では、平坦部９５と第２方向Ｙの両側の側板９４とに跨って厚み方向Ｚに長手を有する放熱長孔１５０が複数形成されている。また、複数の放熱長孔１５０は、平坦部９５と境界９３Ａとにも跨って形成されている。各放熱長孔１５０は、第１方向Ｘおよび第２方向Ｙに貫通している。複数の放熱長孔１５０は、第１方向Ｘに間隔を隔てて並んでいる。平坦部９５には、平坦部９５を厚み方向Ｚに貫通する放熱孔１５１が複数形成されている。放熱孔１５１および放熱長孔１５０は、基板ユニット３内で発生する熱を外部に逃がすためのものである。
【００４８】
第１ケース体９１のＸ１方向側の側板９４には、第１ケース体９１と第２ケース体９２とを連結するための一対の突片１５２が形成されている。各突片１５２は、厚み方向Ｚに薄くＸ１方向へ延びる板状である。一対の突片１５２は、第２方向Ｙに間隔を隔てて並んでいる。
図６Ｂに示すように、第１ケース体９１のＸ２方向側の側板９４には、第１ケース体９１と第２ケース体９２とを連結するための一対の第１ロック被係合部１５４と第２ロック被係合部１５５が形成されている。
【００４９】
一対の第１ロック被係合部１５４は、第２方向Ｙに互いに間隔を隔てて並んでいる。第１ロック被係合部１５４は、第１方向Ｘおよび第２方向Ｙに平坦な板部１５４Ａを有している。板部１５４Ａには、厚み方向Ｚに板部１５４Ａを貫通する第１被係合孔１５４Ｂが形成されている。
第２ロック被係合部１５５は、Ｘ２方向側の側板９４の一部であり、第１方向Ｘに薄い舌片である。第２ロック被係合部１５５は、一対の第１ロック被係合部１５４の間に位置している。第２ロック被係合部１５５には、第１方向Ｘに第２ロック被係合部１５５を貫通する第２被係合孔１５５Ａが形成されている。
【００５０】
第１ケース体９１のＹ２方向側の側板９４には、基板ユニット３全体を液晶カバー５５（図２参照）に固定するための一対の連結部１５６が形成されている（図６Ａ参照）。一対の連結部１５６は、第１方向Ｘに互いに間隔を隔てて並んでいる。一対の連結部１５６には、ねじ孔１５６Ａが形成されており、基板ユニット３全体を液晶カバー５５にねじ止めすることができる。
【００５１】
第１ケース体９１のＹ１方向側の側板９４には、基板ユニット３全体を液晶カバー５５に固定するための複数の被係止板１５７が形成されている（図２も参照）。複数の被係止板１５７は、厚み方向Ｚに薄い板状であり、第１方向Ｘに互いに間隔を隔てて並んでいる。
図７は、第１基板６１および第２基板６２を第１ケース体９１に取り付けた状態を示した図である。図７では、説明の簡略上、電子部品Ｄの図示を省略している（図８および図１１においても同様）。
【００５２】
第１基板６１は、第１ケース体９１のＸ２方向側の側板９４およびＹ１方向側の側板９４のそれぞれに隣接するように、第１ケース体９１内に配置されている。
第１基板６１には、第１ねじ止め部１１１および第１支持部１３１がＺ１方向側から当接している。前述したように、第１ねじ止め部１１１と第１支持部１３１とは、平坦部９５からの高さが同じである。そのため、第１基板６１は、第１ねじ止め部１１１および第１支持部１３１によって、Ｚ１方向側から支持されており、がたつくことがない。
【００５３】
第１基板６１の第１挿通孔６１Ａには、第１規制部１４１（第３ねじ止め部１１３、第４ねじ止め部１１４および第３支持部１３３）が挿通されている。これにより、第１方向Ｘおよび第２方向Ｙへの第１基板６１の移動が規制されている。
第１基板６１の第１ねじ挿通孔６１Ｂと第１ケース体９１の第１ねじ穴１２１には、第１ねじ７１が挿通されている。第１ねじ７１は、第１ねじ止め部１１１の第１ねじ穴１２１に捻じ込まれている。この状態で、第１基板６１は、第１ねじ７１の頭部と第１ねじ止め部１１１のＺ２方向側の端部とによって厚み方向Ｚの両側から挟まれている。これにより、厚み方向Ｚへの第１基板６１の移動が規制され、その結果、第１ケース体９１に対する第１基板６１の固定が達成される。
【００５４】
第２基板６２は、第１ケース体９１内に配置されている。第２基板６２は、Ｘ２方向側の側板９４に隣接している。また、第２基板６２には、第１基板６１がＹ１方向側から隣接しており、第１段部９６がＹ２方向側から隣接している。
第２基板６２には、第２ねじ止め部１１２および第２支持部１３２がＺ１方向側から当接している。前述したように、第２ねじ止め部１１２と第２支持部１３２とは、平坦部９５からの高さが同じである。そのため、第２基板６２は、第２ねじ止め部１１２および第２支持部１３２によって、Ｚ１方向側から支持されており、がたつくことがない。
【００５５】
第２基板６２の複数の第２挿通孔６２Ａには、それぞれ、第２規制部１４２が挿通されている。これにより、第１方向Ｘおよび第２方向Ｙへの第２基板６２の移動が規制されている。
第２基板６２の複数の第２ねじ挿通孔６２Ｂと第１ケース体９１の第２ねじ穴１２２には、第２ねじ７２が挿通されている。第２ねじ７２は、第２ねじ止め部１１２の第２ねじ穴１２２に捻じ込まれている。この状態で、第２基板６２は、第２ねじ７２の頭部と第２ねじ止め部１１２のＺ２方向側の端部とによって厚み方向Ｚの両側から挟まれている。これにより、厚み方向Ｚへの第２基板６２の移動が規制され、その結果、第１ケース体９１に対する第２基板６２の固定が達成される。
【００５６】
図８は、図７に示す状態の第１ケース体９１に、第３基板６３および第４基板６４を取り付けた状態を示した図である。
第３基板６３は、第１基板６１および第２基板６２よりもＺ２方向側で第１ケース体９１内に配置されている。第３基板６３は、Ｙ２方向側の側板９４、Ｙ１方向側の側板９４およびＸ２方向側の側板９４に隣接している。第３基板６３には、第１段部９６、複数の第３ねじ止め部１１３および複数の第３支持部１３３がＺ１方向側から当接している。前述したように、第１段部９６、第３ねじ止め部１１３および第３支持部１３３は、平坦部９５からの高さが同じである。そのため、第３基板６３は、第１段部９６、第３ねじ止め部１１３および第３支持部１３３によって、Ｚ１方向側から支持されており、がたつくことがない。
【００５７】
第３基板６３の複数の第３挿通孔６３Ａには、それぞれ、第３規制部１４３が挿通されている。これにより、第１方向Ｘおよび第２方向Ｙへの第３基板６３の移動が規制されている。
第３基板６３の第３ねじ挿通孔６３Ｂと第１ケース体９１の第３ねじ穴１２３とには、第３ねじ７３が挿通されている。第３ねじ７３は、第３ねじ穴１２３に捻じ込まれている。この状態で、第３基板６３は、第３ねじ７３の頭部と第１段部９６とによって厚み方向Ｚから挟まれている。これにより、厚み方向Ｚへの第３基板６３の移動が規制され、その結果、第１ケース体９１に対する第３基板６３の固定が達成される。
【００５８】
この状態では、図２に示すように、第３基板６３の複数の外部接続用コネクタ８３は、第１段部９６の複数の第１コネクタ挿通孔９６Ａに挿通されている。複数の外部接続用コネクタ８３は、その嵌合面を外部へ向けて基板ケース６５から突出している。
図８に示すように、第４基板６４は、Ｙ２方向側の側板９４、Ｙ１方向側の側板９４およびＸ１方向側の側板９４に隣接している。第３基板６３および第４基板６４は、第１基板６１および第２基板６２（図７参照）にＺ２方向側から覆い被さっている。
【００５９】
第４基板６４には、第１段部９６、第２段部９７、第４ねじ止め部１１４、第５ねじ止め部１１５および第４支持部１３４によってＺ１方向側から当接している。前述したように、第１段部９６、第２段部９７、第４ねじ止め部１１４、第５ねじ止め部１１５および第４支持部１３４は、平坦部９５からの高さが同じである。そのため、第４基板６４は、第１段部９６、第２段部９７、第４ねじ止め部１１４、第５ねじ止め部１１５および第４支持部１３４によって、Ｚ１方向側から支持されており、がたつくことがない。
【００６０】
第４基板６４の複数の第４挿通孔６４Ａには、それぞれ、第４規制部１４４が挿通されている。これにより、第１方向Ｘおよび第２方向Ｙへの第４基板６４の移動が規制されている。
第４基板６４の第５ねじ挿通孔６４Ｂと第１ケース体９１の第５ねじ穴１２５とには、第５ねじ７５が挿通されている。第５ねじ７５は、第５ねじ穴１２５に捻じ込まれている。この状態で、第４基板６４は、第５ねじ７５の頭部と第２段部９７とによって厚み方向Ｚから挟まれている。これにより、厚み方向Ｚへの第４基板６４の移動が規制され、その結果、第１ケース体９１に対する第４基板６４の固定が達成される。
【００６１】
この状態では、図２に示すように、第４基板６４の複数の外部接続用コネクタ８８は、複数の第２コネクタ挿通孔９７Ａに挿通されている。複数の外部接続用コネクタ８８は、嵌合面を外部へ向けるように基板ケース６５から突出している。
図９は、基板ケース６５の第２ケース体９２の斜視図である。
第２ケース体９２は、厚み方向Ｚに薄く第１方向Ｘに長手の略矩形状の底板１６０と、底板１６０の各縁部からＺ１方向へ立ち上がる複数（本実施形態では４つ）の側板１６１とを含む。
【００６２】
底板１６０には、複数の第１リブ１６２、複数の第２リブ１６３、電池支持部１６４、第３コネクタ支持部１６５、第４コネクタ支持部１６６、複数の第１ねじ受け部１７１および複数の第２ねじ受け部１７２が形成されている。
複数の第１リブ１６２は、底板１６０からＺ１方向に突出しており、底板１６０の第１方向Ｘの全域に亘って延びている。複数の第１リブ１６２は、第２方向Ｙに間隔を隔てて並んでいる。複数の第２リブ１６３は、底板１６０からＺ１方向に突出しており、底板１６０の第２方向Ｙの全域に亘って延びている。複数の第２リブ１６３は、第１方向Ｘに間隔を隔てて並んでいる。複数の第１リブ１６２および複数の第２リブ１６３によって、第２ケース体９２の底板１６０は、補強されている。
【００６３】
電池支持部１６４は、底板１６０のＹ２方向側かつＸ２方向側の端部において第１リブ１６２と第２リブ１６３とが交差する部分からＺ１方向に突出した十字状である。第３コネクタ支持部１６５は、底板１６０からＺ１方向に突出している。第３コネクタ支持部１６５は、第３基板６３の第１基板接続用コネクタ８０（図５Ａ参照）をＺ１方向側から押圧支持するためのものである。第４コネクタ支持部１６６は、底板１６０からＺ１方向へ突出している。第４コネクタ支持部１６６は、第１基板６１の第４基板接続用コネクタ７９（図５Ａ参照）をＺ１方向側から押圧支持するためのものである。
【００６４】
複数の第１ねじ受け部１７１および第２ねじ受け部１７２は、底板１６０からＺ１方向へ突出する円筒状である。第１ねじ受け部１７１および第２ねじ受け部１７２の内部空間は、第１ねじ受け部１７１および第２ねじ受け部１７２を厚み方向Ｚに貫通している。第１ねじ受け部１７１および第２ねじ受け部１７２の内周面のそれぞれは、Ｚ１方向側に向かう途中で小径になるような段差１７１Ａおよび１７２Ａをそれぞれ有している。
【００６５】
第２ケース体９２のＸ１方向側の側板１６１には、Ｘ１方向へ突出した一対の引掛け部１７５が形成されている。一対の引掛け部１７５には、厚み方向Ｚに引掛け部１７５を貫通する係合孔１７５Ａが形成されている。
第２ケース体９２のＸ２方向側の側板１６１には、一対の第１ロック係合部１７６と、第２ロック係合部１７７とが形成されている。一対の第１ロック係合部１７６は、Ｚ１方向へ突出し、その先端部が先尖状である。第２ロック係合部１７７は、Ｘ２方向へ突出し、突出し、その先端部が先尖状である。
【００６６】
図１０は、基板ユニット３の斜視図である。具体的には、図１０では、第２ケース体９２が第１ケース体９１よりも紙面の手前側に位置するような角度から基板ユニット３を見た図である。図１１は、図１０におけるＸＩ−ＸＩ線に沿う断面図である。
図８および図１０に示すように、第２ケース体９２の複数の第１ねじ受け部１７１のそれぞれには、第４ねじ７４が挿通されている。第１ねじ受け部１７１に挿通された第４ねじ７４は、第３基板６３の第４ねじ挿通孔６３Ｃ、および第１ケース体９１の第４ねじ穴１２４にも、挿通されており、第４ねじ穴１２４に捻じ込まれている。この状態で、第１ねじ受け部１７１と第３基板６３とは、第４ねじ７４の頭部と第３ねじ止め部１１３のＺ２方向側の端部とによって厚み方向Ｚの両側から挟まれている。これにより、厚み方向Ｚへの第３基板６３および第２ケース体９２の移動が規制され、その結果、第２ケース体９２に対する第３基板６３の固定が達成される。
【００６７】
第２ケース体９２の複数の第２ねじ受け部１７２のそれぞれには、第６ねじ７６が挿通されている。第２ねじ受け部１７２に挿通された第６ねじ７６は、第６ねじ挿通孔６４Ｃおよび第６ねじ穴１２６にも挿通されており、第６ねじ穴１２６に捻じ込まれている。この状態で、第２ねじ受け部１７２と第４基板６４とは、第６ねじ７６の頭部と第４ねじ止め部１１４および第５ねじ止め部１１５のＺ２方向側の端部とによって厚み方向Ｚの両側から挟まれている。これにより、厚み方向Ｚへの第４基板６４（図８参照）および第２ケース体９２の移動が規制され、その結果、第２ケース体９２に対する第４基板６４の固定が達成される。
【００６８】
図１１に示すように、第１ケース体９１と第２ケース体９２とによって区画された基板ケース６５の内部空間６５Ａには、基板６０が収容されている。
第１基板６１および第２基板６２（図６参照）と、第３基板６３および第４基板６４と、厚み方向Ｚに間隔を隔てた状態で配置されている。第３基板６３の第１基板接続用コネクタ８１と第１基板６１の第３基板接続用コネクタ７８とは、互いに嵌合している。これにより、第３基板６３と第１基板６１とが電気的および機械的に接続されている。
【００６９】
前述したように、第１ケース体９１の第１コネクタ支持部１３６は、第１基板６１の第３基板接続用コネクタ７８をＺ１方向側から押圧し、第２ケース体９２の第３コネクタ支持部１６５は、第３基板６３の第１基板接続用コネクタ８１をＺ２方向側から押圧する。そのため、第３基板接続用コネクタ７８と第１基板接続用コネクタ８１とは、第１コネクタ支持部１３６および第３コネクタ支持部１６５によって厚み方向Ｚへの移動が規制された状態で支持される。これにより、第３基板接続用コネクタ７８と第１基板接続用コネクタ８１との電気的および機械的な接続の信頼性が向上される。
【００７０】
前述したように、第１ケース体９１の第２コネクタ支持部１３７は、第１基板６１の第４基板接続用コネクタ７９をＺ１方向側から押圧し、第２ケース体９２の第４コネクタ支持部１６６は、第４基板６４の第１基板接続用コネクタ８６をＺ２方向側から押圧する。そのため、第４基板接続用コネクタ７９と第１基板接続用コネクタ８６とは、第２コネクタ支持部１３７および第４コネクタ支持部１６６によって、厚み方向Ｚへの移動が規制された状態で支持される。これにより、第４基板接続用コネクタ７９と第１基板接続用コネクタ８６との電気的および機械的な接続の信頼性が向上される。
【００７１】
一対の突片１５２のそれぞれは、Ｚ１方向から係合孔１７５Ａに挿通されて一対の引掛け部１７５に引っ掛かっている。一対の第１ロック係合部１７６のそれぞれは、一対の第１ロック被係合部１５４の第１被係合孔１５４Ｂのそれぞれと係合している。第２ロック係合部１７７は、第２ロック被係合部１５５の第２被係合孔１５５Ａと係合している（図１０参照）。
【００７２】
電池ホルダ８５に収容された電池８５Ａは、第２ケース体９２の電池支持部１６４によってＺ２方向側から押圧されている。そのため、電池８５Ａは、電池支持部１６４と電池ホルダ８５とによって厚み方向Ｚへの移動が規制されている。これにより、電池８５Ａが電池ホルダ８５から不意に外れることを防止できる。したがって、電子部品Ｄの一部であるＲＴＣの計時が不意にリセットされることがない。
【００７３】
図１２Ａに示すように、操作手段８４は、スイッチ収容部９８の空間９８Ａに収容されている。スイッチ収容部９８の空間９８Ａは、第３基板６３のＺ１方向側の表面６３ＤによってＺ２方向側から区画されている。また、底壁９９の孔部１００は、第３基板６３のＺ１方向側の表面６３Ｄのスイッチ領域Ａ１と厚み方向Ｚに対向している。前述したように壁部１０１は、Ｚ２方向側へ向けて突出している。したがって、第３基板６３が第１ケース体９１に取り付けられた状態では、壁部１０１は、第３基板６３に向けて第１ケース体９１の底壁９９から突出する角筒部材であり、操作手段８４および空間９８Ａを取り囲んでいる。このように、基板ユニット３では、スイッチ収容部９８の空間９８Ａが孔部１００と第３基板６３の表面６３Ｄのスイッチ領域Ａ１との間の空間を構成している。
【００７４】
基板ケース６５の内部空間６５Ａの第３基板６３よりもＺ１方向側の空間において、空間９８Ａを除く部分を空間１８５とする。空間９８Ａと空間１８５とは、壁部１０１（特に、Ｘ１方向側の第１壁部１０１ＡおよびＹ１方向側の第２壁部１０１Ｂ）によって仕切られている。
第３基板６３のＺ１方向側の表面６３Ｄに実装された操作手段８４は、第１ケース体９１の底壁９９に厚み方向Ｚに対向している。すなわち、底壁９９は、第１ケース体９１において操作手段８４が対向する部位である。
【００７５】
操作手段８４は、孔部１００を通して基板ケース６５の外部に露出している。そのため、例えば電子部品ＤのＲＴＣによる計時をリセットする際等に、基板ケース６５の外部から孔部１００を通して棒状の治具を進入させることにより操作手段８４を操作することができる。つまり、孔部１００は、操作用の孔である。孔部１００は、第３基板６３のスイッチ領域Ａ１に対向している。
【００７６】
たとえば、遊技機１（図２参照）に基板ユニット３が取り付けられた状態において、基板ケース６５の内部空間６５Ａ内に不正用治具（異物）を進入させて、これにより、第３基板６３を含む基板６０に対する不正行為を行うことが考えられる。
しかしながら、本実施形態では、操作手段８４および空間９８Ａを取り囲む壁部１０１が設けられている。そのため、基板ユニット３が取り付けられた状態において、外部から孔部１００を通してスイッチ収容部９８の空間９８Ａに不正用治具を進入させたとしても、基板ケース６５の内部空間６５Ａの空間９８Ａを除く部分である空間１８５への不正用治具の進入が、壁部１０１によって防止される。これにより、第３基板６３を含む基板６０に対する不正行為を防止できる。
【００７７】
また、壁部１０１のＺ２方向側の先端１０１Ｃは、第３基板６３のＺ１方向側の表面６３Ｄに当接している。そのため、基板ケース６５の空間１８５への不正用治具の進入をより確実に防止できる。
次に、図１２Ｂに示すように、第３基板６３に操作手段８４が実装されていない場合について検討する。この場合、基板６０を収容するために基板ケース６５が用いられる。この場合、基板６０が基板ケース６５に収容された状態において、孔部１００は、第３基板６３のスイッチ領域Ａ１に対向している。操作手段８４が空間９８Ａに収容されている場合と比較して、スイッチ収容部９８の空間９８Ａに、不正用治具を容易に進入させ易い。しかし、外部から孔部１００を通してスイッチ収容部９８の空間９８Ａに不正用治具を進入させたとしても、基板ケース６５の内部空間６５Ａにおける空間９８Ａを除く部分である空間１８５への不正用治具の進入が、壁部１０１によって防止される。これにより、第３基板６３に対する不正行為を防止することができる。
【００７８】
このように、第３基板６３に操作手段８４が実装されている場合、および実装されていない場合の双方において不正行為の発生を防止できるから、操作手段８４が実装されていない第３基板６３を使用する場合と、操作手段８４が実装されている第３基板６３を使用する場合とで、基板ケース６５を共通化することができる。これにより、コストの低減を図ることができ、かつ遊技機１の製造を効率良く行うことができる。
【００７９】
次に、このような基板ユニット３の組み立て方法について説明する。
図４Ａに示すように、まず、第１基板６１の第２基板接続用コネクタ７７と、第２基板６２の第１基板接続用コネクタ８０とを嵌合させる。これにより、第１基板６１および第２基板６２が電気的かつ機械的に接続する。
次に、図７に示すように、第１ケース体９１に第１基板６１および第２基板６２をＺ２方向側から取り付ける。このとき、第１基板６１の第１挿通孔６１Ａには、第１規制部１４１（第３ねじ止め部１１３、第４ねじ止め部１１４および第３支持部１３３）を挿通させ、第２基板６２の第２挿通孔６２Ａには、第２規制部１４２を挿通させる。そして、第１ねじ７１を、第１基板６１の第１ねじ挿通孔６１Ｂに挿通させて、第１ケース体９１の第１ねじ止め部１１１の第１ねじ穴１２１に捻じ込む。第２ねじ７２を、第２基板６２の第２ねじ挿通孔６２Ｂに挿通させて、第１ケース体９１の第２ねじ止め部１１２の第２ねじ穴１２２に捻じ込む。これにより、第１ケース体９１に対する第１基板６１および第２基板６２の取り付けが完了する。
【００８０】
次に、図５Ａに示すように、第３基板６３の第４基板接続用コネクタ８２と、第４基板６４の第３基板接続用コネクタ８７とを嵌合する。これにより、第３基板６３および第４基板６４を電気的かつ機械的に接続する。
次に、図８に示すように、第１ケース体９１に第３基板６３および第４基板６４をＺ２方向側から取り付ける。このとき、第３基板６３の第３挿通孔６３Ａには、第３規制部１４３を挿通させ、第４基板６４の第４挿通孔６４Ａには、第４規制部１４４を挿通させる。これと同時に、第３基板６３の第１基板接続用コネクタ８１と第１基板６１の第３基板接続用コネクタ７８とを嵌合し、第４基板６４の第１基板接続用コネクタ８６と第１基板６１の第４基板接続用コネクタ７９とを嵌合する（図１１参照）。
【００８１】
そして、第３ねじ７３を、第３基板６３の第３ねじ挿通孔６３Ｂに挿通させて、第１ケース体９１の第１段部９６の第３ねじ穴１２３に捻じ込む。また、第５ねじ７５を、第４基板６４の第５ねじ挿通孔６４Ｂに挿通させて、第１ケース体９１の第２段部９７の第５ねじ穴１２５に捻じ込む。これにより、第１ケース体９１に対する第３基板６３および第４基板６４の取り付けが完了する。
【００８２】
次に、図１０および図１１に示すように、第１ケース体９１に第２ケース体９２をＺ２方向側から取り付ける。第１ケース体９１の一対の突片１５２を第２ケース体９２の一対の引掛け部１７５に引っ掛けた状態で、第２ケース体９２の一対の第１ロック係合部１７６のそれぞれを第１ケース体９１の一対の第１ロック被係合部１５４の第１被係合孔１５４Ｂと係合させ、第２ロック係合部１７７を第２ロック被係合部１５５の第２被係合孔１５５Ａ（図２参照）と係合させる。これにより、第２ケース体９２は、第１ケース体９１に簡易的に取り付けられた状態となる。
【００８３】
そして、図８および図１０に示すように、第４ねじ７４を、第２ケース体９２の第１ねじ受け部１７１と第３基板６３の第４ねじ挿通孔６３Ｃに挿通させ、第１ケース体９１の第３ねじ止め部１１３の第４ねじ穴１２４に捻じ込む。また、第６ねじ７６を、第２ケース体９２の第２ねじ受け部１７２と第４基板６４の第６ねじ挿通孔６４Ｃに挿通させ、第１ケース体９１の第４ねじ止め部１１４の第６ねじ穴１２６に捻じ込む。これにより、第２ケース体９２が第１ケース体９１に対して確実に固定され、第１ケース体９１に対する第２ケース体９２の取り付けが完了する。以上の工程により、基板ユニット３の組立が完了する。
【００８４】
図２に示すように、このように完成した基板ユニット３は、液晶カバー５５に後側かつ上側から取り付けられる。基板ケース６５の第１ケース体９１の複数の被係止板１５７を液晶カバー５５の複数の係止部５６の窪みに圧入することで液晶カバー５５に対する基板ユニット３の位置が固定される。
次に、完成した基板ユニット３の解体について説明する。
【００８５】
図３に示すように、まず、基板ケース６５の第１ケース体９１の底板９３と第１ねじ止め部１１１とを連結する第１薄肉部１１１Ｂ、および底板９３と第２ねじ止め部１１２とを連結する第２薄肉部１１２Ｂをそれぞれニッパー等で切断する。これにより、第１ケース体９１の底板９３から第１ねじ止め部１１１および第２ねじ止め部１１２が分離される。したがって、第１基板６１の、第１ケース体９１に対する固定が解除され、第２基板６２の、第１ケース体９１に対する固定も解除される。
【００８６】
次いで、この状態から、先程の基板ユニット３の組立の工程とは逆の手順で各部材を第１ケース体９１から取り外す。詳しくは、まず、第４ねじ７４および第６ねじ７６を取り外す。次に、第２ケース体９２の第１ロック係合部１７６と、第１ケース体９１の第１ロック被係合部１５４の第１被係合孔１５４Ｂとの係合を解除する。また、第２ケース体９２の第２ロック係合部１７７と第１ケース体９１の第２ロック被係合部１５５の第２被係合孔１５５Ａ（図２参照）との係合を解除する。これにより、第２ケース体９２が第１ケース体９１から取り外される。
【００８７】
次いで、図８に示すように、第３ねじ７３および第５ねじ７５を取り外して、第１ケース体９１に対する第３基板６３および第４基板６４の固定を解除する。前述のように、解体作業の最初の工程で、第１ケース体９１に対する第１基板６１および第２基板６２の固定が解除されているので、基板６１，６２，６３および６４を、基板ケース６５外に取り外すことが可能である。
【００８８】
基板６１，６２，６３および６４を取り外し、取り外した基板６１，６２，６３および６４を、基板６１，６２，６３および６４同士の接続が維持されている状態のまま、他の作業場所に移す。そして、当該作業場所において、コネクタ７７，７８，７９，８０，８１，８２，８６および８７同士の機械的接続を解除することにより、各基板６１，６２，６３および６４同士の結合を離脱させることができる。
【００８９】
次に、解体作業の最初の工程で、第１ケース体９１に対する第１基板６１および第２基板６２の固定を解除しなかった場合について考える。この場合、第１ケース体９１に対する第３基板６３および第４基板６４の固定を解除した後、第３基板６３および第４基板６４のまとまりを、第１基板６１および第２基板６２（図７参照）のまとまりから離脱させる。この離脱作業を、基板６１，６２，６３および６４が、基板ケース６５に取り付けられている状態で行う必要がある。この場合、基板６１，６２，６３および６４同士の離脱作業が困難になり、そのような困難な作業を行う結果、コネクタ７７，７８，７９，８０，８１，８２，８６および８７等の損傷を招くおそれがある。
【００９０】
しかし、本実施形態では、解体作業の最初の工程で、第１ケース体９１に対する第１基板６１および第２基板６２の固定を解除している。そのため、基板ケース６５外の他の作業場所に移して、各基板６１，６２，６３および６４同士の結合を離脱させる離脱作業を行うことができる。
これにより、基板ユニット３の解体作業が容易になる。ゆえに、当該作業時に各基板６１，６２，６３および６４同士を接続するコネクタ７７，７８，７９，８０，８１，８２，８６および８７等の損傷を防止することができる。
【００９１】
次に、本発明の変形例について説明する。
図１３は、本発明の変形例を示した図である。図１３において、上記に説明した部材と同様の部材には、同一の参照符号を付し、その説明を省略する。
変形例のスイッチ収容部９８は、Ｘ１方向側の第１壁部１０１ＡとＹ２方向側の第２壁部１０１Ｂの代わりに、筒状の第３壁部１７８を含む。第３壁部１７８は、底壁９９からＺ２側に突出しており、孔部１００の縁部を取り囲んでいる。第３壁部１７８は、操作手段８４のＺ２方向側の端部８４Ａも取り囲んでいる。
【００９２】
そのため、孔部１００付近で空間９８Ａに対する不正用治具の進入を抑制することができるので、そのため、基板ケース６５の空間１８５への不正用治具の進入をより確実に防止できる。
以上、この発明の一実施形態について説明したが、本発明はさらに他の形態で実施することもできる。
【００９３】
例えば、壁部１０１は、必ずしも第３基板６３のＺ２方向側の表面６３Ｄに当接している必要はなく、不正用治具の進入を防止できる程度にＺ２方向側へ突出していればよい。
また、所定の操作手段８４は、複数設けられていてもよい。この場合、第１ケース体９１は、各操作手段８４に対応するスイッチ収容部９８を複数有していてもよいし、第１ケース体９１は、複数の操作手段８４を一括して収容するスイッチ収容部９８を有していてもよい。いずれの場合であってスイッチ収容部９８の壁部１０１が操作手段８４を個々にまたは一括して取り囲んでおり、基板ケース６５の空間１８５内への不正用治具の進入を壁部１０１によって防止できる。
【００９４】
また、基板ケース６５に収容される基板６０が、演出制御基板や液晶制御基板である場合を例に挙げて説明したが、基板６０を、主制御基板や払出制御基板とすることもできる。
さらに、基板６０を制御基板以外の基板（たとえば、中継基板や電源基板）とすることもできる。すなわち、基板６０は、演出制御基板、液晶表示制御基板、主制御基板、払出制基板などの制御基板の他、電源基板、中継基板などを含み、用途を限定しない趣旨である。
【００９５】
基板６０を電源基板とする場合、操作手段８４として、主制御基板、液晶制御基板および払出制御基板のうちの少なくとも１つのＲＡＭのデータをゼロクリアするためのＲＡＭクリアスイッチ（図示しない）を採用することができる。作業者（たとえば遊技店の従業員）がＲＡＭクリアスイッチをオン操作した状態で、ＲＡＭクリア信号がオン状態となる。ＲＡＭクリアスイッチを操作しないと、ＲＡＭクリア信号がオフ状態（高レベル）に復帰する。ＲＡＭクリア信号がオン状態で電源が投入されると、前記のＲＡＭに記憶されているデータおよび払出制御基板のＲＡＭに記憶されているデータがそれぞれゼロクリアされる。一方、ＲＡＭクリア信号がオフ状態で電源投入されると、前記のＲＡＭデータはゼロクリアされない。
【００９６】
操作手段８４は、押しボタンスイッチの他、ディップスイッチ、ロータリースイッチなど、形態を限定しない。
また、操作手段８４としてＲＴＣスイッチおよびＲＡＭクリアスイッチを例に挙げて説明したが、ＲＴＣスイッチおよびＲＡＭクリアスイッチ以外の用途の操作手段にも本発明を適用できることができる。
その他、特許請求の範囲に記載された事項の範囲で種々の設計変更を施すことが可能である。
【符号の説明】
【００９７】
１      遊技機
６０    基板
６３Ｄ  表面
６５    基板ケース
８４    操作手段
８４Ａ  操作手段のＺ２方向側の端部（突出部）
９１    第１ケース体（ケース体）
９９    底壁（対向壁）
１００  孔部
１０１  壁部
Ｄ      電子部品
【図１Ａ】
2018047377.tif 000003
【図１Ｂ】
2018047377.tif 000004
【図２】
2018047377.tif 000005
【図３】
2018047377.tif 000006
【図４Ａ】
2018047377.tif 000007
【図４Ｂ】
2018047377.tif 000008
【図５Ａ】
2018047377.tif 000009
【図５Ｂ】
2018047377.tif 000010
【図６Ａ】
2018047377.tif 000011
【図６Ｂ】
2018047377.tif 000012
【図７】
2018047377.tif 000013
【図８】
2018047377.tif 000014
【図９】
2018047377.tif 000015
【図１０】
2018047377.tif 000016
【図１１】
2018047377.tif 000017
【図１２Ａ】
2018047377.tif 000018
【図１２Ｂ】
2018047377.tif 000019
【図１３】
2018047377.tif 000020